(57)【要約】【課題】一方向に電流が流れるように直列に接続された複数の発光素子を有する発光素子部に対する寄生容量として蓄積された電荷を好適に放電させることを可能とする発光素子駆動回路を提供することである。【解決手段】発光素子駆動回路１０は、一方向に電流が流れるように直列に接続された複数の発光素子を有する発光素子部１００のカソード端子に接続され、予め定められた所定の発光期間内に、発光素子部１００を発光させるように駆動する電流駆動回路部３０と、発光期間の始まりの時刻から起算される予め定められた所定の放電期間内に、発光素子部１００に対する寄生容量として蓄積された電荷をカソード端子側から接地側に放電させる放電回路部４０と、を備える。【選択図】図１
2012080019.tif 000002
【特許請求の範囲】
【請求項１】
一方向に電流が流れるように直列に接続された複数の発光素子を有する発光素子部のカソード端子に接続され、予め定められた所定の発光期間内に、前記発光素子部が発光するように前記発光素子部を電流駆動する電流駆動回路部と、
前記発光期間の始まりの時刻から起算される予め定められた所定の放電期間内に、前記発光素子部に対する寄生容量として蓄積された電荷を前記カソード端子側から接地側に放電させる放電回路部と、
を備えることを特徴とする発光素子駆動回路。
【請求項２】
請求項１に記載の発光素子駆動回路において、
前記カソード端子が予め定められた所定の電圧になるように前記カソード端子側のフィードバック電圧を受け取り、前記フィードバック電圧に基づいて昇圧された昇圧電圧を前記発光素子部のアノード端子に供給する昇圧回路部を備えることを特徴とする発光素子駆動回路。
【請求項３】
請求項１または請求項２に記載の発光素子駆動回路において、
前記発光期間の始まりの時刻における初期値から予め定められた時定数で変化する時定数関数に対応した値を出力する時定数回路と、
前記発光期間の始まりの時刻と、前記時定数回路の出力値が所定の閾値を超えた時刻との間の期間を前記放電期間として生成する放電期間生成回路と、
を備えることを特徴とする発光素子駆動回路。
【請求項４】
請求項１から請求項３のいずれか１に記載の発光素子駆動回路において、
前記放電回路部の回路インピーダンスは、前記電流駆動回路部の回路インピーダンスよりも小さいことを特徴とする発光素子駆動回路。
【請求項５】
請求項４に記載の発光素子駆動回路において、
前記電流駆動回路部は、
一方端が前記カソード端子に接続され、前記発光期間内はオンし前記発光期間外はオフする駆動回路用スイッチ回路と、
一方端が前記駆動回路用スイッチ回路の他方端に接続され、他方端が接地される駆動回路用抵抗素子と、
を有し、
前記放電回路部は、
一方端が前記カソード端子と前記駆動回路用抵抗素子の一方端との間に接続され、前記放電期間内はオンし前記放電期間外はオフする放電回路用スイッチ回路と、
一方端が前記放電回路用スイッチ回路の他方端に接続され、他方端が接地され、前記駆動回路用抵抗素子の抵抗値よりも小さい抵抗値を含む放電回路用抵抗素子と、
を有することを特徴とする発光素子駆動回路。
【発明の詳細な説明】
【技術分野】
【０００１】
本発明は、発光素子駆動回路に係り、特に、複数の発光素子を有する発光素子部が発光するように、当該発光素子部を電流駆動する発光素子駆動回路に関する。
【背景技術】
【０００２】
現在、ＬＥＤ等といった発光素子は様々な電子機器等に用いられており、例えば、液晶テレビの表示部のバックライトとして用いられることがある。この場合には、複数の発光素子を直列に接続した発光素子部を構成し、当該発光素子部に比較的大きな電流を流すことで当該複数の発光素子を発光させることがある。
【０００３】
本発明に関連する技術として、例えば、特許文献１には、発光素子駆動回路として、照度センサからの照度情報を取得し、明るさを判定してその判定結果を出力するとともに明るさ変化情報を出力する明るさ判定部と、明るさ判定部の明るさ判定結果に基づいて輝度の設定を行い、その輝度設定情報を出力するとともに輝度変化情報を出力する輝度設定部と、輝度設定部からの輝度設定情報に応じた電流値の電流で発光素子を駆動する発光素子駆動部とを備えることが述べられている。そして、当該発光素子駆動回路は、さらに、発光素子の一方側端子の端子電圧を検出し、所定の電圧との比較を行う検出比較部と、明るさ変化情報あるいは輝度変化情報の少なくとも一方と検出比較部の出力とに基づいて、発光素子の他方側端子の端子電圧を昇圧するか否かを判定する昇圧判定部と、昇圧判定部によって昇圧すると判定されたときに発光素子の他方側端子の端子電圧の昇圧を行い、昇圧判定部によって昇圧しないと判定されたときに発光素子の他方側端子の端子電圧の昇圧を行なわない昇圧回路部と、を備えることが述べられている。
【先行技術文献】
【特許文献】
【０００４】
【特許文献１】特開２０１０−６７７４９号公報
【発明の概要】
【発明が解決しようとする課題】
【０００５】
ところで、上記の発光素子部に電流を流して発光させていると、各発光素子のアノード端子とカソード端子との間等に寄生容量として電荷が蓄積されることがある。そして、当該発光素子部の発光を開始する際に、当該寄生容量として蓄積された電荷がカソード端子側に流れるため、例えば、発光素子部のカソード端子側からフィードバック電圧を受け取って昇圧を行い、その昇圧電圧を発光素子部のアノード端子に供給する場合に、上記電荷がフィードバック電圧に対してノイズとして重畳してしまい、フィードバックループが不安定になるといった問題がある。
【０００６】
本発明の目的は、一方向に電流が流れるように直列に接続された複数の発光素子を有する発光素子部に対する寄生容量として蓄積された電荷を好適に放電させることを可能とする発光素子駆動回路を提供することである。
【課題を解決するための手段】
【０００７】
本発明に係る発光素子駆動回路は、一方向に電流が流れるように直列に接続された複数の発光素子を有する発光素子部のカソード端子に接続され、予め定められた所定の発光期間内に、発光素子部が発光するように発光素子部を電流駆動する電流駆動回路部と、発光期間の始まりの時刻から起算される予め定められた所定の放電期間内に、発光素子部に対する寄生容量として蓄積された電荷をカソード端子側から接地側に放電させる放電回路部と、を備えることを特徴とする。
【発明の効果】
【０００８】
上記構成によれば、発光期間の始まりの時刻から起算される予め定められた所定の放電期間内に、発光素子部の寄生容量として蓄積された電荷をカソード端子側から接地側に放電させることができる。
【図面の簡単な説明】
【０００９】
【図１】本発明に係る実施の形態において、発光素子駆動回路を示す図である。
【図２】本発明に係る実施の形態において、制御部に入出力されるパルス信号等を示す図である。
【図３】本発明に係る実施の形態において、放電回路用スイッチング処理部の各要素を示す図である。
【図４】本発明に係る実施の形態において、放電回路用スイッチング処理部において、放電回路用パルス信号が生成される様子を示すタイミングチャートである。
【発明を実施するための形態】
【００１０】
以下に図面を用いて、本発明に係る実施の形態を詳細に説明する。また、以下では、発光素子部を構成する発光素子の数は４つであるものとして説明するが、もちろん、発光素子の数は増減させてもよく、例えば、大型の液晶テレビの表示部のバックライトとして用いられる場合には数十個の発光素子を用いて構成するものしてもよい。また、以下では、発光素子駆動回路の構成要素として制御部が含まれるものとして説明するが、制御部が発光素子駆動回路の構成要素でなく、発光素子駆動回路の外部の構成要素であるものとしてもよい。
【００１１】
また、以下では、全ての図面において、同様の要素には同一の符号を付し、重複する説明を省略する。また、本文中の説明においては、必要に応じそれ以前に述べた符号を用いるものとする。
【００１２】
図１は、発光素子駆動回路１０を示す図である。発光素子駆動回路１０は、昇圧回路部２０と、電流駆動回路部３０と、放電回路部４０と、制御部５０とを含んで構成される。発光素子駆動回路１０は、発光素子部１００を電流で駆動する回路である。まず、発光素子部１００について説明し、その後に発光素子駆動回路１０の各構成について具体的に説明する。
【００１３】
発光素子部１００は、発光素子１００ａと、発光素子１００ｂと、発光素子１００ｃと、発光素子１００ｄとを含んで構成される。発光素子１００ａ，１００ｂ，１００ｃ，１００ｄは、カソード端子（陰極）に対し、アノード端子（陽極）に順方向に電圧を加えた際に発光する回路素子である。発光素子１００ａのアノード端子は、端子３に接続され、発光素子１００ａのカソード端子は、発光素子１００ｂのアノード端子と接続される。また、発光素子１００ｂのアノード端子は、発光素子１００ａのカソード端子と接続され、発光素子１００ｂのカソード端子は、発光素子１００ｃのアノード端子と接続される。そして、発光素子１００ｃのアノード端子は、発光素子１００ｂのカソード端子と接続され、発光素子１００ｃのカソード端子は、発光素子１００ｄのアノード端子と接続される。さらに、発光素子１００ｄのアノード端子は、発光素子１００ｃのカソード端子と接続され、発光素子１００ｄのカソード端子は、端子５に接続される。つまり、発光素子１００ａと発光素子１００ｂと発光素子１００ｃと発光素子１００ｄは、直列に接続され、各発光素子に流れる電流値を変更することで輝度を変化させることができる。以下では、発光素子１００ａのアノード端子を発光素子部１００のアノード端子として説明し、発光素子１００ｄのカソード端子を発光素子部１００のカソード端子として説明する。
【００１４】
昇圧回路部２０は、昇圧用エラーアンプ２０１と、フィードバック切替回路２０２と、昇圧用ＰＷＭ回路２０３と、昇圧用コイル２０４と、昇圧用トランジスタ２０５と、昇圧用ダイオード２０６と、昇圧用コンデンサ２０７と、位相補償用コンデンサ２０８と、を含んで構成される。昇圧回路部２０は、発光素子部１００のカソード端子の電圧をフィードバック電圧として受け取って、必要な昇圧を行い、発光素子部１００のアノード端子にその昇圧電圧を供給する機能を有する。昇圧回路部２０は、電流駆動回路部３０の駆動回路用トランジスタ３０２と駆動回路用抵抗素子３０４の接続点と、制御部５０と、端子３を介して発光素子部１００のアノード端子と電気的に接続されている。
【００１５】
昇圧用エラーアンプ２０１は、二つの入力電圧の大きさを比較し、その入力電圧の差を増幅して出力するGmアンプである。昇圧用エラーアンプ２０１のプラス側入力端子には、基準電源２０１ａが入力される。基準電源２０１ａは、発光素子部１００のカソード端子の電圧を所定の電圧に保持するためのカソード端子用基準電圧（例えば０．５ｖ）を出力する電源である。昇圧用エラーアンプ２０１のマイナス側入力端子には、発光素子部１００からのフィードバック電圧を受け取るために、電流駆動回路部３０の駆動回路用トランジスタ３０２と駆動回路用抵抗素子３０４の接続点に接続されている。また、昇圧用エラーアンプ２０１の出力は、フィードバック切替回路２０２の第１切替端子２０２ａに入力される。そして、昇圧用エラーアンプ２０１は、発光素子部１００から入力されるフィードバック電圧と基準電源２０１ａから入力される基準電圧との比較を行い、その電圧の差を増幅した電圧偏差が第１切替端子２０２ａに対して出力される。
【００１６】
フィードバック切替回路２０２は、昇圧用ＰＷＭ回路２０３の入力端子に接続されるスイッチ本体部２０２ｃと、昇圧用エラーアンプ２０１と接続される第１切替端子２０２ａと、開放された端子である第２切替端子２０２ｂとを含んで構成される。また、フィードバック切替回路２０２は、制御部５０によって切替制御がなされる。
【００１７】
昇圧用ＰＷＭ回路２０３は、変調方法の一つであり、パルス信号のデューティ比を変化させて変調する回路である。具体的には、スイッチ本体部２０２ｃが第１切替端子２０２ａに接続されている場合には、昇圧用エラーアンプ２０１による比較結果である電圧偏差を入力として受け、その電圧偏差に基づいてパルス信号のデューティ比を変更する。そして、電圧偏差に基づいたパルス信号によって、昇圧用トランジスタ２０５のスイッチング制御を行う機能を有する。また、スイッチ本体部２０２ｃが開放された端子である第２切替端子２０２ｂに接続されている場合には、発光素子部１００のカソード端子の端子電圧が昇圧回路部２０にフィードバックされず昇圧用ＰＷＭ回路２０３の入力電圧はコンデンサ２０８により保持される。図１では昇圧回路部２０は昇圧動作を継続するが、昇圧回路部は停止しても良い。
【００１８】
昇圧用トランジスタ２０５は、ゲート端子に電圧をかけ、チャネルの電界により電子または正孔の流れに関門（ゲート）を設ける原理で、ソース・ドレイン端子間の電流を制御するｎチャネルＭＯＳトランジスタである。昇圧用トランジスタ２０５は、昇圧用ＰＷＭ回路２０３から出されるパルス信号がゲート端子に印加されてスイッチング制御がなされる。昇圧用トランジスタ２０５は、ゲート端子が昇圧用ＰＷＭ回路２０３の出力と電気的に接続され、ドレイン端子が昇圧用コイル２０４の他方端および昇圧用ダイオード２０６のアノード端子と電気的に接続され、ソース端子がグランド２に接続されて接地されている。
【００１９】
昇圧用コイル２０４は、一方端が入力電源電圧１に接続され、他方端が昇圧用トランジスタ２０５のドレイン端子と、昇圧用ダイオード２０６のアノード端子に接続されている。昇圧用コイル２０４は、昇圧用トランジスタ２０５がオン状態となったときに入力電源電圧１が印加される状態となり電磁エネルギが蓄積される。
【００２０】
昇圧用ダイオード２０６は、整流作用（電流を一定方向にしか流さない作用）を持つ回路素子である。昇圧用ダイオード２０６は、昇圧用トランジスタ２０５がオフ状態となったときに電磁エネルギが蓄積された昇圧用コイル２０４が電圧源のように機能して、昇圧用ダイオード２０６を経由して負荷側に電流が流される。昇圧用ダイオード２０６は、アノード端子が昇圧用コイル２０４の他方端と昇圧用トランジスタ２０５のドレイン端子と電気的に接続され、カソード端子が昇圧用コンデンサ２０７の正極側端子と接続されている。
【００２１】
昇圧用コンデンサ２０７は、静電容量により電荷（電気エネルギ）を蓄えたり、放出したりする回路素子である。昇圧用コンデンサ２０７は、昇圧用トランジスタ２０５がオフ状態となったときに、昇圧用コイル２０４から流れてくる電荷を蓄積する機能を有する。昇圧用コンデンサ２０７は、正極側端子が昇圧用ダイオード２０６のカソード端子および発光素子部１００のアノード端子と電気的に接続され、負極側端子がグランド２に接続されて接地される。
【００２２】
位相補償用コンデンサ２０８は、正極側端子がスイッチ本体部２０２ｃと昇圧用ＰＷＭ回路２０３の入力に接続され、負極側端子がグランド２に接続されて接地される容量素子である。位相補償用コンデンサ２０８は、発光素子部１００のカソード端子の端子電圧を昇圧回路部２０に対してフィードバックする際のフィードバックループの位相補償を行う機能を有する。
【００２３】
電流駆動回路部３０は、発光素子部１００を予め定められた駆動電流で駆動する回路である。電流駆動回路部３０は、駆動回路用トランジスタ３０２と、駆動回路用抵抗素子３０４とを含んで構成される。
【００２４】
駆動回路用トランジスタ３０２は、ゲート端子に電圧をかけ、チャネルの電界により電子または正孔の流れに関門（ゲート）を設ける原理で、ソース・ドレイン端子間の電流を制御するｎチャネルＭＯＳトランジスタである。駆動回路用トランジスタ３０２は、制御部５０から出力される駆動回路用パルス信号がゲート端子に印加されてスイッチング制御がなされる。駆動回路用トランジスタ３０２は、ゲート端子が制御部５０と電気的に接続され、ドレイン端子が端子５を介して発光素子部１００のカソード端子と電気的に接続され、ソース端子が駆動回路用抵抗素子３０４の一方端と放電回路用トランジスタ４０２のドレイン端子に接続されて接地されている。
【００２５】
駆動回路用抵抗素子３０４は、一方端が駆動回路用トランジスタ３０２のソース端子と接続され、他方端はグランド２に接続されて接地される。なお、駆動回路用抵抗素子３０４は、駆動回路用トランジスタ３０２がオンしたときに、発光素子部１００に流れる電流が許容最大電流となるように設定された抵抗値を有している。
【００２６】
放電回路部４０は、発光素子部１００に対する寄生容量として蓄積された電荷をグランド２側に放電させるための回路である。放電回路部４０は、放電回路用トランジスタ４０２と、放電回路用抵抗素子４０４とを含んで構成される。
【００２７】
放電回路用トランジスタ４０２は、ゲート端子に電圧をかけ、チャネルの電界により電子または正孔の流れに関門（ゲート）を設ける原理で、ソース・ドレイン端子間の電流を制御するｎチャネルＭＯＳトランジスタである。放電回路用トランジスタ４０２は、制御部５０から出力される放電回路用パルス信号がゲート端子に印加されてスイッチング制御がなされる。放電回路用トランジスタ４０２は、ゲート端子が制御部５０と電気的に接続され、ドレイン端子が駆動回路用トランジスタ３０２のソース端子及び駆動回路用抵抗素子３０４の一方端と電気的に接続され、ソース端子が放電回路用抵抗素子４０４の一方端に接続されている。なお、放電回路用トランジスタ４０２及び駆動回路用トランジスタ３０２のオン抵抗は、駆動回路用抵抗素子３０４に比べて非常に小さい抵抗値となる。
【００２８】
放電回路用抵抗素子４０４は、一方端が放電回路用トランジスタ４０２のソース端子と接続され、他方端がグランド２と接続されて接地されている。そして、放電回路用抵抗素子４０４は、駆動回路用抵抗素子３０４の抵抗値に比べて小さい抵抗値であり、発光素子部１００に寄生容量として蓄積された電荷を放電させるため、換言すれば、引き抜くために好適な抵抗値が設定されている。
【００２９】
制御部５０は、フィードバック切替処理部５０２と、駆動回路用スイッチング処理部５０４と、放電回路用スイッチング処理部５０６とを含んで構成される。図２は、制御部５０に入出力されるパルス信号等を示す図である。
【００３０】
フィードバック切替処理部５０２は、外部から入力されるフィードバックループ切替パルス信号（図２参照）に基づいて、フィードバック切替回路２０２の切替制御を行う機能を有する。具体的には、フィードバックループ切替パルス信号のＨｉｇｈ期間は、フィードバック切替回路２０２のスイッチ本体部２０２ｃの接続先が第１切替端子２０２ａとなるように切替をする。そして、フィードバックループ切替パルス信号のＬｏｗ期間は、フィードバック切替回路２０２のスイッチ本体部２０２ｃの接続先が第２切替端子２０２ｂとなるように切替をする。つまり、フィードバックループ切替パルス信号のＨｉｇｈ期間は、発光素子部１００のカソード端子の端子電圧が昇圧回路部２０にフィードバックされて昇圧回路部２０が昇圧を行うが、フィードバックループ切替パルス信号のＬｏｗ期間は、発光素子部１００のカソード端子の端子電圧が昇圧回路部２０にフィードバックされずに昇圧回路部２０の昇圧動作は停止している。ここで、フィードバックループ切替パルス信号のＨｉｇｈ期間をフィードバック期間と呼ぶ。なお、フィードバックループ切替パルス信号は、放電回路用パルス信号のＨｉｇｈ期間が終了した後、換言すれば、放電期間を終えた後にＨｉｇｈ期間となるタイミング関係であることが好ましい。
【００３１】
駆動回路用スイッチング処理部５０４は、外部から入力される駆動回路用パルス信号（図２参照）に基づいて、駆動回路用トランジスタ３０２のスイッチング制御を行う機能を有する。具体的には、駆動回路用パルス信号のＨｉｇｈ期間は、駆動回路用トランジスタ３０２がオンし、駆動回路用パルス信号のＬｏｗ期間は、駆動回路用トランジスタ３０２がオフする。つまり、駆動回路用パルス信号のＨｉｇｈ期間は、発光素子部１００の発光素子１００ａ，１００ｂ，１００ｃ，１００ｄに電流が流れて各発光素子が発光するが、駆動回路用パルス信号のＬｏｗ期間は、発光素子部１００の発光素子１００ａ，１００ｂ，１００ｃ，１００ｄに電流が流れずに各発光素子が発光しない。なお、駆動回路用パルス信号のＨｉｇｈ期間の長さを変更することで発光素子１００ａ，１００ｂ，１００ｃ，１００ｄの発光輝度を変更することができる。ここで、駆動回路用パルス信号のＨｉｇｈ期間を発光素子部１００の発光期間と呼ぶ。
【００３２】
放電回路用スイッチング処理部５０６は、図２に示される放電回路用パルス信号を生成し、当該放電回路用パルス信号に基づいて、放電回路用トランジスタ４０２のスイッチング制御を行う機能を有する。図３は、放電回路用スイッチング処理部５０６の各要素を示す図である。図４は、放電回路用スイッチング処理部５０６において、放電回路用パルス信号が生成される様子を示すタイミングチャートである。放電回路用スイッチング処理部５０６は、抵抗素子５０６ａと、コンデンサ５０６ｂと、インバータ回路５０６ｃと、ＡＮＤ回路５０６ｄとを含んで構成される。
【００３３】
抵抗素子５０６ａは、一方端には、外部からの駆動回路用パルス信号が入力され、他方端は、コンデンサ５０６ｂの正極側端子とインバータ回路５０６ｃの入力端子とに接続される抵抗素子である。
【００３４】
コンデンサ５０６ｂは、正極側端子は抵抗素子５０６ａの他方端とインバータ回路５０６ｃの入力端子に接続され、負極側端子はグランド２に接続されて接地される容量素子である。
【００３５】
インバータ回路５０６ｃは、入力端子は抵抗素子５０６ａの他方端とコンデンサ５０６ｂの正極側端子が接続され、出力端子はＡＮＤ回路５０６ｄの第１入力端子に接続される反転回路である。
【００３６】
ＡＮＤ回路５０６ｄは、第１入力端子はインバータ回路５０６ｃの出力端子が接続され、第２入力端子には外部からの駆動回路用パルス信号が入力されて、出力端子からは放電回路用トランジスタ４０２のスイッチング制御を行うための放電回路用パルス信号としての信号を出力する論理積回路である。
【００３７】
信号５０６２は、抵抗素子５０６ａの一方端とＡＮＤ回路５０６ｄの第２入力端子に入力される駆動回路用パルス信号（図２の駆動回路用パルス信号と同一のパルス信号）が示されている。
【００３８】
信号５０６４は、インバータ回路５０６ｃに入力される信号であり、抵抗素子５０６ａとコンデンサ５０６ｂの値によって定まる時定数によって変化する時定数関数信号である。
【００３９】
信号５０６６は、インバータ回路５０６ｃから出力され、ＡＮＤ回路５０６ｄの第１入力端子に入力される信号である。信号５０６６は、インバータ回路５０６ｃの入力（信号５０６４）が所定の閾値Ｂよりも小さいときはＨｉｇｈとなり、インバータ回路５０６ｃの入力（信号５０６４）が所定の閾値Ｂよりも大きいときはＬｏｗとなる信号である。
【００４０】
信号５０６８は、ＡＮＤ回路５０６ｄから出力される放電回路用パルス信号（図２の放電回路用パルス信号と同一のパルス信号）であり、Ｈｉｇｈ期間は、放電回路用トランジスタ４０２がオンされ、Ｌｏｗ期間は、放電回路用トランジスタ４０２がオフされる。なお、放電回路用パルス信号のＨｉｇｈ期間は放電期間と呼ぶ。
【００４１】
ここで、抵抗素子５０６ａとコンデンサ５０６ｂは、発光素子部１００に対する寄生容量として蓄積された電荷を放電させるために必要な放電期間を生成するために予め値が設定された時定数回路として機能する。そして、インバータ回路５０６ｃとＡＮＤ回路５０６ｄは、抵抗素子５０６ａとコンデンサ５０６ｂによって出力された時定数関数信号に基づいて、放電回路用パルス信号を生成するパルス生成回路として機能する。
【００４２】
続いて、上記構成の発光素子駆動回路１０の作用について説明する。発光素子駆動回路１０は、外部からの駆動回路用パルス信号によって、駆動回路用トランジスタ３０２のオンオフ制御を行う。具体的には、駆動回路用パルス信号のＨｉｇｈ期間（発光期間）に、駆動回路用トランジスタ３０２をオンさせて発光素子部１００に定電流を流して発光させ、駆動回路用パルス信号のＬｏｗ期間に駆動回路用トランジスタ３０２をオフさせて発光素子部１００の発光を停止させる。
【００４３】
そして、発光素子駆動回路１０は、外部からのフィードバック切替パルス信号によって、発光素子部１００のカソード端子の電圧が所定の電圧となるように切替を行なう。具体的には、フィードバック切替パルス信号のＨｉｇｈ期間（フィードバック期間）に、フィードバック切替回路２０２のスイッチ本体部２０２ｃの接続先が第１切替端子２０２ａとなるように切り替わるため、発光素子部１００のカソード端子の端子電圧が昇圧回路部２０にフィードバックされて昇圧回路部２０が昇圧を行う。そして、フィードバックループ切替パルス信号のＬｏｗ期間は、フィードバック切替回路２０２のスイッチ本体部２０２ｃの接続先が開放された端子である第２切替端子２０２ｂとなるように切り替わるため、発光素子部１００のカソード端子の端子電圧が昇圧回路部２０にフィードバックされず昇圧用ＰＷＭ回路２０３の入力電圧がコンデンサ２０８により保持される。図１では昇圧回路部２０は昇圧動作を継続するが、昇圧回路部は停止しても良い。これにより、フィードバック期間に発光素子部１００のカソード端子の電圧が所定の電圧となるようにすることで、発光素子部１００が発光した場合であっても電圧を安定させることができる。
【００４４】
上記のように、発光素子駆動回路１０によって発光素子部１００を発光させた場合には、例えば、発光素子１００ａ，１００ｂ，１００ｃ，１００ｄのアノード端子とカソード端子の間等には寄生容量として電荷が蓄積されている。しかし、発光素子駆動回路１０の構成によれば、駆動回路用パルス信号のＨｉｇｈ期間が始まる時刻に同期して開始するＨｉｇｈ期間（放電期間）に、放電回路用トランジスタ４０２をオンさせている。このとき、放電回路用抵抗素子４０２の抵抗値は、駆動回路用抵抗素子３０４の抵抗値に比べて小さいため、放電回路部４０は各発光素子の寄生容量として蓄積された電荷がグランド２側に引き抜かれる、換言すれば、放電回路部４０は上記寄生容量として蓄積された電荷を放電するパスとして機能する。このように、放電回路用パルス信号のＨｉｇｈ期間（放電期間）に、各発光素子の寄生容量として蓄積された電荷をグランド２側に引き抜いているため、図２に示されるように、点線で記載されたノイズ（図２の領域Ａ参照）は重畳されずに整形されたフィードバック電圧を昇圧回路部２０にフォードバックすることができる。したがって、発光素子駆動回路１０のフィードバックループのより高い安定性を維持することができる。
【符号の説明】
【００４５】
１  入力電源電圧、２  グランド、３，５  端子、１０  発光素子駆動回路、２０  昇圧回路部、３０  電流駆動回路部、４０  放電回路部、５０  制御部、１００  発光素子部、１００ａ，１００ｂ，１００ｃ，１００ｄ  発光素子、２０１  昇圧用エラーアンプ、２０１ａ  基準電源、２０２  フィードバック切替回路、２０２ａ  第１切替端子、２０２ｂ  第２切替端子、２０２ｃ  スイッチ本体部、２０３  昇圧用ＰＷＭ回路、２０４  昇圧用コイル、２０５  昇圧用トランジスタ、２０６  昇圧用ダイオード、２０７  昇圧用コンデンサ、２０８  位相補償用コンデンサ、３０２  駆動回路用トランジスタ、３０４  駆動回路用抵抗素子、４０２  放電回路用トランジスタ、４０４  放電回路用抵抗素子、５０２  フィードバック切替処理部、５０４  駆動回路用スイッチング処理部、５０６  放電回路用スイッチング処理部、５０６ａ  抵抗素子、５０６ｂ  コンデンサ、５０６ｃ  インバータ回路。
【図１】
2012080019.tif 000003
【図２】
2012080019.tif 000004
【図３】
2012080019.tif 000005
【図４】
2012080019.tif 000006